(57)【要約】【課題】構造が簡易で、趣向性の高いプッシャーゲーム装置を提供する。【解決手段】本発明に係るプッシャーゲーム装置１は、複数枚のメダルが載置されるフィールド面２２を有するフィールド部２０と、フィールド面２２に載置されたメダルを連続的に押し出す１つの押出面４９ａを有し、フィールド面２２に沿って移動するプッシャー４０とを備え、プッシャー４０の移動により、落下溝３０に落とし込まれたメダルがプレイヤに払い出され、押出面４９ａは、例えば、サインカーブ状、鋸刃状などの非直線状であるため、メダルの移動は予測し難いものになっている。また、プッシャーゲーム装置１は、押出面４９ａが１つであるため、複数の直線状の押出面を有するプッシャーゲーム装置よりも簡易な構造にすることが可能である。【選択図】図２
2007117773.tif 000002
【特許請求の範囲】
【請求項１】
複数枚のメダルが載置されるフィールド面を有するフィールド部と、
前記フィールド面に載置された前記メダルを押し出す１つの押出面を有し、前記フィールド面に沿って移動するプッシャーとを備え、
前記プッシャーの移動により、落下溝に落とし込まれた前記メダルがプレイヤに払い出され、
前記押出面は、非直線状であることを特徴とするプッシャーゲーム装置。
【請求項２】
複数枚のメダルが載置されるフィールド面を有するフィールド部と、
前記フィールド面に載置された前記メダルを押し出す１つの押出面を有し、前記フィールド面に沿って移動するプッシャーとを備え、
前記プッシャーの移動により、落下溝に落とし込まれた前記メダルがプレイヤに払い出され、
前記押出面の少なくとも一部は、前記落下溝側に突出していることを特徴とするプッシャーゲーム装置。
【請求項３】
前記プッシャーの下方で且つ側方に、メダルを回収する回収孔が形成されており、
前記押出面の両端部は、前記プッシャーの幅が前記プッシャーから落下溝に向かう方向へかけて狭まるように傾いていることを特徴とする請求項１又は２に記載のプッシャーゲーム装置。
【発明の詳細な説明】
【技術分野】
【０００１】
本発明は、プッシャーゲーム装置に関するものである。
【背景技術】
【０００２】
ゲームセンター等に設置されるプッシャーゲーム装置は、ゲームの内容が比較的分かり易く誰もが親しめるという理由から、従来、多くのユーザに娯楽性の高さにおいて定評を受けている。プッシャーゲーム装置では、複数枚のメダルが載置されたフィールド面上を、押出面を有するプッシャーが往復動し、その移動タイミングを見計らってプレイヤがメダルをフィールド上に投入する。そして、メダルの投入タイミングが上手く合った場合は、プッシャーの押出面によってフィールド上のメダルがプレイヤ側に位置する落下溝に落とし込まれる。落下溝に落とし込まれたメダルは、プレイヤに払い戻されることになる。
【０００３】
しかし、このようなプッシャーゲーム装置は、はじめて市場に登場したときから根本的な部分については改良されておらず、メダルの移動が画一的なため、ゲームが単調になりやすいという欠点があった。そこで、個々に駆動可能なプッシャーを複数個備え、メダルの移動を多様化することにより趣向性を向上させたプッシャーゲーム装置が、下記特許文献１に開示されている。
【特許文献１】特開平８−１９６６１号公報
【発明の開示】
【発明が解決しようとする課題】
【０００４】
しかしながら、上記従来のプッシャーゲーム装置には、次のような課題が存在している。すなわち、個々に駆動可能なプッシャーが複数個備えられているため、プッシャー各々に対して駆動モータや伝達機構等を設ける必要があり、プッシャーゲーム装置自体の構成が複雑になるという問題があった。
【０００５】
本発明は、上記問題を解決するためになされたものであり、構造が簡易で、趣向性の高いプッシャーゲーム装置を提供することを目的とする。
【課題を解決するための手段】
【０００６】
本発明に係るプッシャーゲーム装置は、複数枚のメダルが載置されるフィールド面を有するフィールド部と、フィールド面に載置されたメダルを押し出す１つの押出面を有し、フィールド面に沿って移動するプッシャーとを備え、プッシャーの移動により、落下溝に落とし込まれたメダルがプレイヤに払い出され、押出面は、非直線状であることを特徴とする。
【０００７】
このプッシャーゲーム装置においては、プッシャーの移動により、フィールド面に載置されたメダルは、プッシャーの１つの押出面で押し出されて、落下溝に落とし込まれる。このプッシャーの押出面は、例えば、サインカーブ状、鋸刃状などの非直線状であるため、メダルの移動は予測し難いものになっている。また、本発明に係るプッシャーゲーム装置は、押出面が１つであるため、複数の直線状の押出面を有するプッシャーゲーム装置よりも簡易な構造にすることが可能である。
【０００８】
本発明に係るプッシャーゲーム装置は、複数枚のメダルが載置されるフィールド面を有するフィールド部と、フィールド面に載置されたメダルを押し出す１つの押出面を有し、フィールド面に沿って移動するプッシャーとを備え、プッシャーの移動により、落下溝に落とし込まれたメダルがプレイヤに払い出され、押出面の少なくとも一部は、落下溝側に突出していることを特徴とする。
【０００９】
このプッシャーゲーム装置においては、プッシャーの移動により、フィールド面に載置されたメダルは、プッシャーの１つの押出面で押し出されて、落下溝に落とし込まれる。このプッシャーの押出面の少なくとも一部は、突出しているため、この部分で押されるメダルの移動は予測し難いものになっている。また、本発明に係るプッシャーゲーム装置は、押出面が１つであるため、複数の直線状の押出面を有するプッシャーゲーム装置よりも簡易な構造にすることが可能である。
【００１０】
また、プッシャーの下方で且つ側方に、メダルを回収する回収孔が形成されており、押出面の両端部は、プッシャーの幅がプッシャーから落下溝に向かう方向へかけて狭まるように傾いていることが好ましい。この場合、フィールド面に設置され、押出面の両端部付近に位置するメダルは、回収孔に落ち込み易くなるため、プッシャーゲーム装置を設置するゲームセンター等の店舗側の売り上げが向上する。また、回収孔の上方にこれを覆うカバーを設置しておけば、回収孔によるメダルの回収をプレイヤに見られずに行うことができる。
【発明の効果】
【００１１】
本発明に係るプッシャーゲーム装置によれば、プッシャーの移動により、フィールド面に載置されたメダルは、プッシャーの１つの押出面で押し出されて、落下溝に落とし込まれる。このプッシャーの押出面は、例えば、サインカーブ状、鋸刃状などの非直線状であるため、メダルの移動は予測し難いものになっている。また、本発明に係るプッシャーゲーム装置は、押出面が１つであるため、複数の直線状の押出面を有するプッシャーゲーム装置よりも簡易な構造にすることが可能である。
【発明を実施するための最良の形態】
【００１２】
以下、添付図面を参照して、本発明に係るプッシャーゲーム装置の好適な実施形態について詳細に説明する。尚、同一要素には同一符号を用いるものとし、重複する説明は省略する。
【００１３】
図１は、本実施形態のプッシャーゲーム装置１の斜視図であり、内容理解のために一部を破断して示している。プッシャーゲーム装置１は、本体１０の前面に透明な窓１２を備えており、プレイヤはこの窓１２から内部で展開されるゲームの様子を見ることができる。
【００１４】
窓１２の下方手前には、左右にメダル投入器１４，１４が配設されている。メダル投入器１４にはメダルを受け入れる投入口１５が設けられており、プレイヤがレバー１６上端のボタンを押すと、投入口１５に投入されたメダルが前方に飛び出す。プレイヤは、レバー１６を前後左右に振ることで、メダルの放出方向を定めることができる。
【００１５】
本体１０内には、多数のメダルがあらかじめ載置されたフィールド面２２を有するフィールド板（フィールド部）２０が配置されている。フィールド板２０は本体１０に対して位置決め固定されている。また、フィールド板２０の手前には、メダルが落とし込まれる落下溝３０が形成されている。
【００１６】
フィールド板２０の上方には、落下溝３０の方向に往復動するプッシャー４０が配されている。プッシャー４０の移動については後に詳説するが、フィールド板２０上のメダルがプッシャー４０に押されることにより、落下溝３０近傍のメダルを落下溝３０に落とし込むことができる。特に、プッシャー４０が後退している際に、フィールド板２０上に堆積したメダルと重ならないようにメダル投入器１４からメダルを投出することで、プッシャー４０が前進した際に、該投出されたメダルがフィールド板２０上に堆積したメダルを押し出すことになり、落下溝３０にメダルが落下する可能性が高まる。落下溝３０に落とし込まれたメダルは、払出口１８からプレイヤに払い出される。
【００１７】
ここで、本明細書で言及するプッシャー４０の移動方向の定義をしておく。プッシャー４０の移動方向は、本体１０に対峙したプレイヤと対向する側から見た方向で説明する。つまり、前方とは、図１中の矢印Ｆで示す方向であり、落下溝３０に向かう方向を意味する。後方とは、矢印Ｂで示す方向であり、落下溝３０から遠ざかる方向を意味する。右方とは、矢印Ｒで示す方向であり、プレイヤから見て左側に向かう方向を意味する。左方とは、矢印Ｌで示す方向であり、プレイヤから見て右側に向かう方向を意味する。
【００１８】
また、フィールド板２０には、プッシャー４０の下方で且つ側方に、フィールド面２２の側方に流れたメダルを回収するための回収孔２４が形成されている。この回収孔２４に落下したメダルは、プレイヤには払い出されない。回収孔２４は、フィールド板２０の左右双方に形成されている（図２参照）。
【００１９】
回収孔２４の上方には、回収孔２４をプッシャー４０の縁部と共に覆うカバー２６が配されている。従って、プレイヤは、フィールド面２２の側方に押し出されたメダルが回収孔２４で回収されることを知り得ず、側方に流れたメダルについても払出口１８から払い出されるかのように錯覚する。
【００２０】
次に、図２及び図３を参照し、プッシャー４０付近の構成を詳説する。図２は、プッシャー４０を上方から見た概略の平面図であり、図３は、図２のＩＩＩ−ＩＩＩ線断面図である。
【００２１】
各図に示すように、プッシャー４０は、プッシャー本体４１の下方に位置するプッシャーベース４２を備えている。また、プッシャー４０は、プッシャー本体４１の前方に位置するフロントプレート４９を有しており、フロントプレート４９の前面（押出面）４９ａでフィールド面２２上のメダルが押されることになる。フロントプレート前面４９ａの形状は、図２に示すように、波状形（サインカーブ）になっている。なお、波状であるフロントプレート前面４９ａの両端部４９ｂは、プッシャー４０の幅が、プッシャー４０の落下溝３０に向かう方向（図２の矢印Ｆ方向）へかけて狭まるように、すなわち、プッシャー４０の前方から後方に向かうにつれてプッシャー４０の幅が拡がるように傾いている。それにより、該両端部４９ｂ付近に位置するメダルは、フロントプレートの往動により、フロントプレート前面４９ａに沿うように移動するため、すなわち、プッシャー４０の側方方向に移動するため、回収孔２４に落ち込み易くなっている（図４参照）。また、プッシャーゲーム装置１には、プッシャー４０を移動させるための第１駆動モータ５０及び第２駆動モータ７０が備えられている。第２駆動モータ７０は、プッシャーベース４２にリベット等で固定されている。
【００２２】
第１駆動モータ５０のモータ軸５１には、第１回転部材５２が取付けられている。第１回転部材５２は、モータ軸５１に固定された軸５３、一端が軸５３に取付けられ水平方向に延びるアーム５４、及びアーム５４の他端に回転自在に取付けられた第１ローラ（第１の突部材）５５によって構成されている。尚、第１駆動モータ５０及び第１回転部材５２によって、プッシャー４０を落下溝の方向（図２の矢印Ｆ及び矢印Ｂ方向）へ移動させる第１の駆動部が構成されている。
【００２３】
第１ローラ５５は、プッシャーベース４２の下方に形成されたガイド４３の第１溝４４内に配されている。第１溝４４は、ガイド４３の両側壁により画成されており、落下溝３０に向かう方向と直交する方向、すなわち図２の左右方向（矢印Ｒ方向及び矢印Ｌ方向）に延びている。第１ローラ５５の直径は第１溝４４の幅と同程度で、且つ、第１溝４４内をスライドできる程度にされている。
【００２４】
プッシャーベース４２の前方両サイドには、プッシャー本体４１との衝突を緩和しつつプッシャー本体４１を押すためのローラ式のクッション４５，４５が設けられている。各クッション４５は、その主要面がプッシャーベース４２の前方を向くように取付けられており、プッシャー本体４１の溝部４６内に遊びを持って配されている。一方、図３に示すように、プッシャーベース４２の後方には、ローラ式のクッション４７が設けられている（図２では、クッション４７の図示を省略する）。クッション４７は、その主要面がプッシャー本体４１の後部に垂下したバックプレート４８と対向している。
【００２５】
第２駆動モータ７０のモータ軸７１には、第２回転部材７２が取付けられている。第２回転部材７２は、モータ軸７１に固定された軸７３、一端が軸７３に取付けられ水平方向に延びるアーム７４、及びアーム７４の他端に回転自在に取付けられた第２ローラ（第２の突部材）７５によって構成されている。尚、第２駆動モータ７０及び第２回転部材７２によって、プッシャー４０を落下溝の方向（図２の矢印Ｆ及び矢印Ｂ方向）と交差する方向へ移動させる第２の駆動部が構成されている。
【００２６】
第２ローラ７５は、プッシャー本体４１の後部に取付けられたガイド６３の第２溝６４内に配されている。尚、ガイド６３については、図２のＩＩＩ−ＩＩＩ線に沿って描いておらず、内部構成を明らかにすべくガイド６３の中央付近の断面を示している。第２溝６４は、ガイド６３の両側壁により画成されており、落下溝３０に向かう方向、すなわち図２の上下方向（矢印Ｆ及び矢印Ｂの方向）に延びている。第２ローラ７５の直径は第２溝６４の幅と同程度で、且つ、第２溝６４内をスライドできる程度にされている。
【００２７】
プッシャー４０の上方には、傾斜面を有する上記カバー２６が配されており、図３に示すように、該カバー２６の前方下端には、カバー２６とプッシャー４０との隙間からメダルが入り込むのを防止する遮蔽部材２７が取付けられている。
【００２８】
以上が本実施形態のプッシャーゲーム装置１の構成である。次に、プッシャーゲーム装置１の動作を説明する。
【００２９】
まず、図５〜図８を参照して、第１の駆動部のみを駆動させた場合のプッシャー４０の動作について説明する。尚、図５〜図８では、プッシャー４０の動作を理解し易くするために図示を簡略化し、本来破線で示すべき箇所も実線で示している。機構の詳細は、図２及び図３に示す通りである。
【００３０】
図５は、第１ローラ５５が最も前方（落下溝３０側）に位置し、プッシャー４０が最も前進している状態を示す。そして、第１駆動モータ５０を駆動させると、第１回転部材５２がモータ軸５１周りを図５の矢印Ｘ方向に回転する。すると、第１回転部材５２の先端に取付けられた第１ローラ５５は、プッシャーベース４２のガイド４３の内側壁を押しながら、第１溝４４内をスライドする。
【００３１】
この際、第１溝４４は落下溝３０に向かう方向と直交する方向（矢印Ｒ及び矢印Ｌ方向）に延びているため、図６に示すように、第１ローラ５５によってプッシャー４０は落下溝３０から遠ざかる方向（矢印Ｂ方向）に移動させられる。尚、このようにプッシャー４０が後退するに際しては、第１ローラ５５によってプッシャーベース４２が矢印Ｂ方向に移動し、該プッシャーベース４２のクッション４７がプッシャー４０の後部のバックプレート４８を押すことでプッシャー本体４１が後退するという動作がなされる。この際、第１ローラ５５そのものがアーム５４に対して自転するため、第１ローラ５５とプッシャーベース４２のガイド４３との摩擦が抑えられプッシャー４０をスムースに移動させることができる。
【００３２】
図７は、図５に示す状態から第１ローラ５５を１８０°回転させた状態を示す。この状態では、プッシャー４０が最も後退した位置にあることになる。この際、プッシャー４０はフィールド面２２上に堆積したメダルから最も離隔した状態になり、プレイヤがメダルを獲得するためには、このタイミングで堆積メダルとプッシャー４０との間を狙ってメダルを投入することが好適である。
【００３３】
図８は、図７に示す状態から更に第１ローラ５５を反時計周りに回転させた状態を示す。図８に示すように、最後方まで後退したプッシャー４０は、再び落下溝３０に向かって前進することになる。尚、プッシャー４０が前進するに際しては、第１ローラ５５によってプッシャーベース４２が矢印Ｆ方向に移動し、該プッシャーベース４２のクッション４５（図３参照）がプッシャー４０のガイド４３の前方の内壁を押すことでプッシャー本体４１が前進するという動作がなされる。
【００３４】
以上のように、第１駆動モータ５０を駆動させて第１ローラ５５を回転させると、プッシャー４０は落下溝３０の方向に往復動する。そして、プッシャー４０の往復動に伴い、フィールド面２２上のメダルがフロントプレート前面４９ａに押される。なお、フロントプレート前面４９ａの形状は波形をしているため、フロントプレート前面４９ａに押されると、メダルはプレイヤに予測し難い移動軌跡を描くことになる。このように、メダルが、プレイヤに予測し難い移動をすることにより、プッシャーゲーム装置１におけるゲームの趣向性の向上が図られる。また、プッシャーゲーム装置１は、フロントプレート４９及び押出面４９ａを１つだけ備えるため、フロントプレートや押出面を複数個備えるプッシャーゲーム装置に比して、構造が簡易であることは言うまでもない。
【００３５】
次に、図９〜図１２を参照して、第２の駆動部のみを駆動させた場合のプッシャー４０の動作について説明する。
【００３６】
図９は、第２ローラ７５が最も前方（落下溝３０側）に位置し、プッシャー４０（或いはプッシャー本体４１）が左右方向の中央に位置する状態を示す。そして、第２駆動モータ７０を駆動させると、第２回転部材７２がモータ軸７１周りを図９の矢印Ｙ方向に回転する。すると、第２回転部材７２の先端に取付けられた第２ローラ７５は、プッシャー４０のガイド６３の内側壁（図９の右側の壁）を押しながら、第２溝６４内をスライドする。
【００３７】
この際、第２溝６４は落下溝３０に向かう方向（矢印Ｆ及び矢印Ｂ方向）に延びているため、図１０に示すように、第２ローラ７５によってプッシャー４０のプッシャー本体４１は落下溝３０に向かう方向と直交する方向（矢印Ｌ方向）に移動させられる。このとき、第２駆動モータ７０及びプッシャーベース４２は移動せず、プッシャー本体４１のみが横方向に移動する。プッシャーベース４２のクッション４５，４５（図２，図３参照）についても、プッシャー本体４１の左右方向に延びる溝部４６内を相対的に移動するため、プッシャー本体４１の移動を妨げない。また、第２ローラ７５そのものがアーム７４に対して自転するため、第２ローラ７５とプッシャー４０のガイド６３との摩擦が抑えられプッシャー本体４１をスムースに移動させることができる。
【００３８】
図１１は、図９に示す状態から第２ローラ７５を４５°回転させた状態を示す。この状態では、プレイヤから見て、プッシャー４０が最も右側（矢印Ｌ側）に位置することになる（上記の定義では左側）。そして、この状態から更に第２ローラ７５を反時計周りに回転させると、図１２に示すように、プッシャー本体４１は矢印Ｒ方向に移動する。
【００３９】
以上のように、第２駆動モータ７０を駆動させて第２ローラ７５を回転させると、プッシャー本体４１は落下溝３０の方向と交差する方向（矢印Ｒ及び矢印Ｌ方向）に往復動する。そして、第１ローラの回転に伴うプッシャー４０の往復動の場合と同様、第２のローラの回転に伴うプッシャー４０の往復動の場合においても、プッシャー４０の往復動に伴い、フィールド面２２上のメダルがフロントプレート前面４９ａに押される。なお、フロントプレート前面４９ａの形状は波形をしているため、フロントプレート前面４９ａに押されると、メダルはプレイヤに予測し難い移動軌跡を描くことになる。このように、メダルが、プレイヤに予測し難い移動をすることにより、プッシャーゲーム装置１におけるゲームの趣向性の向上が図られる。
【００４０】
ここまで第１駆動モータ５０及び第２駆動モータ７０をそれぞれ独立に駆動させた場合のプッシャー４０の動作について説明したが、本実施形態では、各駆動部の協働によりプッシャー４０を移動させる。すなわち、本実施形態では、第１駆動モータ５０及び第２駆動モータ７０の回転数を調整し、第１ローラ５５がモータ軸５１周りを１周する間に第２ローラ７５をモータ軸７１周りを複数回回転させる。これにより、プッシャー４０（厳密にはプッシャー本体４１）は、落下溝３０の方向に、左右に振れながらサインカーブを描くように往復動することになる。このように、本実施形態のプッシャーゲーム装置１は、プッシャー４０が単に直線的にだけ往復動するのでなくジグザグに往復動するため、プッシャーの移動が斬新で、フィールド面２２上に堆積したメダルがプッシャー４０で押された場合の移動軌跡をプレイヤは予測し難く、趣向性が向上している。
【００４１】
また、本実施形態では、メダルを回収するための回収孔２４，２４がプッシャー４０の両側に設けられているが、プッシャー４０が左右方向に移動するように構成することで、プッシャー４０のフロントプレート４９によってメダルが矢印Ｆ及び矢印Ｂ方向に対して斜めに押され、より多くのメダルを回収孔２４，２４で回収することができる。このため、プッシャーゲーム装置１を設置するゲームセンター等の店舗側の売上も向上する。
【００４２】
なお、フロントプレート前面４９ａの形状は、波状（サインカーブ）に限定されず、非直線状であれば、メダルはプレイヤに予測し難い移動をすることになる。非直線状とは、例えば、図１３に示すように、鋸刃状や、図１４に示すように、矩形波状などである。その他、非直線状としては、例えば、台形状（図１５参照）、インボリュート歯状（図１６参照）、半円歯状（図１７参照）などがある。そして、矩形波状（図１４参照）であるフロントプレート前面４９ａ以外は、フロントプレート前面４９ａの両端部４９ｂの法線方向は、いずれも近接する回収孔２４の方向となっているため、該両端部４９ｂ付近に位置するメダルは、回収孔２４に落ち込み易くなっている。
【００４３】
以上、本発明者によってなされた発明を実施形態に基づき具体的に説明したが、本発明は上記実施形態に限定されるものではない。例えば、プッシャー本体４１とフロントプレート４９とを一体成型するなどして、フロントプレート４９を省略してもよく、この場合、プッシャー本体４１の前面が押出面となる。また、第２駆動モータを正逆回転させることで、プッシャー本体を左右に移動させるように構成してもよい。
【００４４】
また、駆動モータを二つ設けずに、適宜ギアやプーリーなどの駆動力伝達手段を配備することで、一つの駆動モータによってプッシャーを前後左右に移動させてもよい。さらに、プッシャーを必ずしもサインカーブを描くように移動させる必要はない。例えば、プッシャーを前後方向に所定距離移動させた後に左右方向に移動させる等、前後方向の移動と左右方向の移動を繰り返し行ってもよい。このような動作は、第１駆動モータと第２駆動モータを交互に駆動させることで実現し得る。
【００４５】
また、上記の第１ローラ及び第２ローラは、必ずしも自転するようなものである必要はなく、第１溝及び第２溝内に突出した部材であって、プッシャー或いはプッシャー本体を移動させられるものであればよい。さらに、プッシャーのフロントプレート、すなわちフィールド上の堆積メダルを落下溝へ押出す面の形状は、必ずしも波状にする必要はなく、直線状や他の形状にしてもよい。
【図面の簡単な説明】
【００４６】
【図１】本発明に係るプッシャーゲーム装置の一実施形態を示す斜視図である。
【図２】図１のプッシャーゲーム装置に備えられたプッシャーを上方から見た概略の平面図である。
【図３】図２に示すプッシャーゲーム装置のＩＩＩ−ＩＩＩ線断面図である。
【図４】フロントプレートの両端部周辺におけるメダルの移動を示した図である。
【図５】プッシャーの前後方向の移動を説明するために用いた図であり、プッシャーが最前に位置した状態を示している。
【図６】プッシャーの前後方向の移動を説明するために用いた図であり、プッシャーが図４に示す状態から後退した状態を示している。
【図７】プッシャーの前後方向の移動を説明するために用いた図であり、プッシャーが最後に位置した状態を示している。
【図８】プッシャーの前後方向の移動を説明するために用いた図であり、プッシャーが図６に示す状態から前進した状態を示している。
【図９】プッシャーの左右方向の移動を説明するために用いた図であり、プッシャーが左右方向の中央に位置した状態を示している。
【図１０】プッシャーの左右方向の移動を説明するために用いた図であり、プッシャーが図８に示す状態から右方向（矢印Ｌ方向）に移動した状態を示している。
【図１１】プッシャーの左右方向の移動を説明するために用いた図であり、プッシャーが最も右側（矢印Ｌ方向）に位置した状態を示している。
【図１２】プッシャーの左右方向の移動を説明するために用いた図であり、プッシャーが図１０に示す状態から左方向（矢印Ｒ方向）に移動した状態を示している。
【図１３】本発明の実施形態に係るフロントプレート前面の形状の一態様を示した図である。
【図１４】本発明の実施形態に係るフロントプレート前面の形状の一態様を示した図である。
【図１５】本発明の実施形態に係るフロントプレート前面の形状の一態様を示した図である。
【図１６】本発明の実施形態に係るフロントプレート前面の形状の一態様を示した図である。
【図１７】本発明の実施形態に係るフロントプレート前面の形状の一態様を示した図である。
【符号の説明】
【００４７】
１…プッシャーゲーム装置、１０…本体、１４…メダル投入器、１８…払出口、２０…フィールド板、２２…フィールド面、２４…回収孔、２６…カバー、２７…遮蔽部材、３０…落下溝、４０…プッシャー、４１…プッシャー本体、４２…プッシャーベース、４３…ガイド、４４…第１溝、６３…ガイド、６４…第２溝、４５，４７…クッション、４６…溝部、４８…バックプレート、４９…フロントプレート、４９ａ…フロントプレート前面（押出面）、４９ｂ…両端部、５０…第１駆動モータ（第１の駆動部）、５２…第１回転部材（第１の駆動部）、５５…第１ローラ（第１の突部材）、７０…第２駆動モータ（第２の駆動部）、７２…第２回転部材（第２の駆動部）、７５…第２ローラ（第２の突部材）。
【図１】
2007117773.tif 000003
【図２】
2007117773.tif 000004
【図３】
2007117773.tif 000005
【図４】
2007117773.tif 000006
【図５】
2007117773.tif 000007
【図６】
2007117773.tif 000008
【図７】
2007117773.tif 000009
【図８】
2007117773.tif 000010
【図９】
2007117773.tif 000011
【図１０】
2007117773.tif 000012
【図１１】
2007117773.tif 000013
【図１２】
2007117773.tif 000014
【図１３】
2007117773.tif 000015
【図１４】
2007117773.tif 000016
【図１５】
2007117773.tif 000017
【図１６】
2007117773.tif 000018
【図１７】
2007117773.tif 000019
【手続補正書】
【提出日】平成19年2月14日(2007.2.14)
【手続補正１】
【補正対象書類名】特許請求の範囲
【補正対象項目名】全文
【補正方法】変更
【補正の内容】
【特許請求の範囲】
【請求項１】
複数枚のメダルが載置されるフィールド面を有するフィールド部と、
前記フィールド面に載置された前記メダルを押し出す１つの押出面を有し、前記フィールド面に沿って移動するプッシャーとを備え、
前記プッシャーの移動により、落下溝に落とし込まれた前記メダルがプレイヤに払い出され、
前記押出面は、前記メダルが押し出される方向と交差する方向に窪み部と突出部とが交互に並んだ形状とされていることを特徴とするプッシャーゲーム装置。
【請求項２】
前記プッシャーの下方で且つ側方に、メダルを回収する回収孔が形成されており、
前記押出面の両端部は、前記プッシャーの幅が前記プッシャーから落下溝に向かう方向へかけて狭まるように傾いていることを特徴とする請求項１に記載のプッシャーゲーム装置。
【手続補正２】
【補正対象書類名】明細書
【補正対象項目名】０００６
【補正方法】変更
【補正の内容】
【０００６】
本発明に係るプッシャーゲーム装置は、複数枚のメダルが載置されるフィールド面を有するフィールド部と、フィールド面に載置されたメダルを押し出す１つの押出面を有し、フィールド面に沿って移動するプッシャーとを備え、プッシャーの移動により、落下溝に落とし込まれたメダルがプレイヤに払い出され、押出面は、メダルが押し出される方向と交差する方向に窪み部と突出部とが交互に並んだ形状とされていることを特徴とする。
【手続補正３】
【補正対象書類名】明細書
【補正対象項目名】０００７
【補正方法】変更
【補正の内容】
【０００７】
このプッシャーゲーム装置においては、プッシャーの移動により、フィールド面に載置されたメダルは、プッシャーの１つの押出面で押し出されて、落下溝に落とし込まれる。このプッシャーの押出面は、例えば、サインカーブ状、鋸刃状などのメダルが押し出される方向と交差する方向に窪み部と突出部とが交互に並んだ形状とされているため、メダルの移動は予測し難いものになっている。また、本発明に係るプッシャーゲーム装置は、押出面が１つであるため、複数の直線状の押出面を有するプッシャーゲーム装置よりも簡易な構造にすることが可能である。
【手続補正４】
【補正対象書類名】明細書
【補正対象項目名】０００８
【補正方法】削除
【補正の内容】
【手続補正５】
【補正対象書類名】明細書
【補正対象項目名】００１１
【補正方法】変更
【補正の内容】
【００１１】
本発明に係るプッシャーゲーム装置によれば、プッシャーの移動により、フィールド面に載置されたメダルは、プッシャーの１つの押出面で押し出されて、落下溝に落とし込まれる。このプッシャーの押出面は、例えば、サインカーブ状、鋸刃状などのメダルが押し出される方向と交差する方向に窪み部と突出部とが交互に並んだ形状とされているため、メダルの移動は予測し難いものになっている。また、本発明に係るプッシャーゲーム装置は、押出面が１つであるため、複数の直線状の押出面を有するプッシャーゲーム装置よりも簡易な構造にすることが可能である。
【手続補正６】
【補正対象書類名】明細書
【補正対象項目名】００４２
【補正方法】変更
【補正の内容】
【００４２】
なお、フロントプレート前面４９ａの形状は、波状（サインカーブ）に限定されず、メダルが押し出される方向と交差する方向に窪み部と突出部とが交互に並んだ形状とされていれば、メダルはプレイヤに予測し難い移動をすることになる。メダルが押し出される方向と交差する方向に窪み部と突出部とが交互に並んだ形状とは、例えば、図１３に示すように、鋸刃状や、図１４に示すように、矩形波状などである。その他、メダルが押し出される方向と交差する方向に窪み部と突出部とが交互に並んだ形状としては、例えば、台形状（図１５参照）、インボリュート歯状（図１６参照）、半円歯状（図１７参照）などがある。そして、矩形波状（図１４参照）であるフロントプレート前面４９ａ以外は、フロントプレート前面４９ａの両端部４９ｂの法線方向は、いずれも近接する回収孔２４の方向となっているため、該両端部４９ｂ付近に位置するメダルは、回収孔２４に落ち込み易くなっている。